(57)【特許請求の範囲】
【請求項１】
外底芯に、第１〜第５中足骨頭にほぼ合うように１つまたは複数の屈曲用スリットが形成され、外底芯の下面、周面および上面周縁部のうち少なくとも下面を覆いかつ外底芯に接合される外底表皮に、外底芯の全てのスリットを含むような大きさを有する１つの孔が形成され、外底表皮上面の孔縁部に、伸縮性材料よりなる孔被覆部材の周縁部が縫着されている、室内履物の外底。
【請求項２】
さらに、孔被覆部材と外底芯との間に、孔被覆部材の下面を外底表皮の下面よりも下方に突出させ得るような厚みを有するクッション部材が介在されている、請求項１記載の室内履物の外底。
【請求項３】
請求項１または２記載の外底を備えている、室内履物。
【発明の詳細な説明】
【０００１】
【発明の属する技術分野】
本発明は、スリッパ等の室内履物、およびその外底に関する。
【０００２】
【従来の技術】
スリッパ等の室内履物としては、デザインの多様化への対応が容易なことから、履物本体と外底とを接着剤を用いて接合一体化する、いわゆるセメント製法によるものが多く見られる。
【０００３】
【発明が解決しようとする課題】
室内生活では、歩く、立つといった基本的な動作に加えて、深くかがみ込んだり、膝をついたりする動作も頻繁に行われる。つまり、室内での動作には、室外での動作と比べて、足の屈曲の度合いがより大きくなるものも含まれている。
【０００４】
ところが、従来のセメント製法による室内履物の場合、履物本体と外底とが接着剤で接合されているため、外底の屈曲性が不十分となり、かがみ込み等の動作に際し、足の屈曲に対して外底の屈曲が十分に追従せず、動作に支障を来すおそれがあった。また、外底の屈曲性が不十分であると、室内履物が脱げ易く、安全性にも問題がある上、歩行時に外底が床面を叩いて騒音を発生させるおそれもある。
【０００５】
上記のような問題を解決する手段として、室内履物の外底の下面に複数の切り込みを入れて、外底の屈曲性を向上させるものも提案されている。しかしながら、上記手段の場合、外底下面の切り込みが室内履物としての外観を損なう上、外底における切り込み付近のクッション性が損なわれて、履き心地を悪くするおそれがあった。
【０００６】
本発明の目的は、外観や履き心地を損なうことなく、室内生活に伴う足の屈曲に十分追従しうるだけの屈曲性を外底に付与して、より優れた室内履物を得ることにある。
【０００７】
【課題を解決するための手段】
本発明による室内履物の外底は、外底芯に、第１〜第５中足骨頭にほぼ合うように１つまたは複数の屈曲用スリットが形成され、外底芯の下面、周面および上面周縁部のうち少なくとも下面を覆いかつ外底芯に接合される外底表皮に、外底芯の全てのスリットを含むような大きさを有する１つの孔が形成され、外底表皮上面の孔縁部に、伸縮性材料よりなる孔被覆部材の周縁部が縫着されているものである。
【０００８】
本発明による室内履物において、さらに、孔被覆部材と外底芯との間に、孔被覆部材の下面を外底表皮の下面よりも下方に突出させ得るような厚みを有するクッション部材が介在されているのが好ましい。
【０００９】
また、本発明による室内履物は、本発明による上記外底を備えているものである。
【００１０】
【発明の実施の形態】
本発明の好ましい実施の形態を、図１〜４を参照して説明する。なお、これらの図は、いずれも１足の室内履物のうち左足用のみが示されている。
【００１１】
図１および２には、本発明による室内履物の全体が示されている。この室内履物（１）は、履物本体（２）と外底（３）とを接着剤を用いて接合一体化してなるものである。
【００１２】
履物本体（２）は、図１および２に示すように、中底（２１）と、中底（２１）の上面、周面および下面周縁部を覆いかつ中底（２１）に接合される中底表皮（２２）と、下縁部が中底表皮（２２）に縫着される交差状の２つのバンド（２３）とを備えてなる。中底（２１）は、下部材（２１Ａ）と、下部材（２１Ａ）上面の後半部に接合された上部材（２１Ｂ）とよりなる。各バンド（２３）の下縁部は、例えば、中底表皮（２２）における周面被覆部（２２ａ）の上縁沿い部分に形成された切り込み（図示略）に差し込まれて、切り込みの両縁部に地縫いされている。
【００１３】
外底（３）は、図１および２に示すように、外底芯（３１）と、外底芯（３１）の下面、周面および上面周縁部を覆いかつ外底芯（３１）に接合される外底表皮（３２）とを備えている。
【００１４】
図３は外底（３）を上から見た図であって、同図に示すように、外底芯（３１）には、足（Ｆ）の第１〜第５中足骨頭（Ｆ１〜Ｆ５）にほぼ合うように、互いに平行な３本の屈曲用スリット（３１１）が形成されている。スリット（３１１）の幅は、外底芯（３１）の厚みとの関係を考慮し、外底芯（３１）が屈曲し易いような幅であればよいが、通常、１〜２ｍｍ程度となされる。外底芯（３１）の材料としては、例えば、板紙の下面に不織布を接合してなるものが用いられる。
【００１５】
外底表皮（３２）には、外底芯（３１）の全てのスリット（３１１）を含むような大きさを有する１つの孔（３２１）が形成されている（図１〜３参照）。この実施形態では、孔（３２１）は、左右両辺が若干外方に膨らんだ横長の略平行四辺形状のものとなされており、足（Ｆ）の第１〜第５中足骨頭（Ｆ１〜Ｆ５）にほぼ合うように外底表皮（３２）に形成されている。外底表皮（３２）の材料としては、例えば、表面が平滑な合成皮革が用いられる。
【００１６】
外底表皮（３２）上面の孔縁部には、伸縮性材料よりなる孔被覆部材（３３）の周縁部が縫着されている（図１および２参照）。孔被覆部材（３３）を構成する伸縮性材料としては、例えば、石目ゴムが挙げられる。この石目ゴムは、通常、レーヨン約７０％、綿約２０％、天然ゴム約１０％で構成されており、各種履物の履口部分等の材料としても用いられるものである。孔被覆部材（３３）は、石目ゴム以外の伸縮性材料によって構成されていても良いが、それ自体が接地面の一部を構成するものであるため、それに応じた強度、耐久性が要求される点に留意する必要がある。孔被覆部材（３３）の周縁部は、外底表皮（３２）上面の孔縁部に縫着されているので、外底（３）の下面には露出せず、見栄えがよい。
【００１７】
孔被覆部材（３３）と外底芯（３１）との間には、孔被覆部材（３３）の下面を外底表皮（３２）の下面よりも下方に突出させ得るような厚みを有するクッション部材（３４）が介在されている（図２参照）。クッション部材（３４）の材料としては、例えば、スポンジ等が挙げられる。クッション部材（３４）の厚みは、外底表皮（３２）の厚み等にもよるが、通常３ｍｍ程度となされ、それによって、孔被覆部材（３３）の下面が、外底表皮（３２）の下面よりも１〜２ｍｍ程度下方に突出させられる。もっとも、室内履物（１）を履いた際には、荷重によりクッション部材（３４）が圧縮されて、孔被覆部材（３３）の下面と外底表皮（３２）の下面とがほぼ面一となる（図４参照）。
【００１８】
また、図１および２に示すように、外底表皮（３２）の下面における足裏の踵に対応する部分には、滑り止め部材（３５）が縫着されている。この滑り止め部材（３５）は、例えば、バックスキン状に加工された合成皮革によって形成される。
【００１９】
図４は、上記室内履物（１）を履いて足（Ｆ）を屈曲させた状態を示すものである。室内履物（１）の外底（３）は、上記の通り、外底芯（３１）に屈曲用スリット（３１１）を有するとともに、スリット（３１１）に対応する外底表皮（３２）部分に孔（３２１）があけられ、さらに孔（３２１）が伸縮性材料よりなる孔被覆部材（３３）で覆われているので、足（Ｆ）の屈曲に追従して十分に屈曲することができる。しかも、孔被覆部材（３３）と外底芯（３１）との間には、所要の厚みを有するクッション部材（３４）が介在されているので、外底（３）のクッション性が損なわれず、快適な履き心地が得られる。さらに、上記室内履物（１）の場合、外底芯（３１）のスリット（３１１）が孔被覆部材（３３）で隠されて外底（３）下面に露出していないので、良好な外観が得られる。
【００２０】
なお、上記の実施形態はあくまでも例示にすぎず、特許請求の範囲に記載された本発明の要旨を逸脱しない範囲で適宜に変更を加えた上で本発明を実施することは勿論可能である。
【００２１】
【発明の効果】
本発明による室内履物の外底によれば、外底芯に形成された屈曲用スリット、外底表皮の所要位置にあけられた孔、および外底表皮上面の孔縁部に縫着された伸縮性材料よりなる孔被覆部材の存在によって、深くかがみ込んだり、膝をついたりする動作を行った場合でも、足の屈曲に追従して十分に屈曲し、しかも外観に優れた室内履物が得られる。
【００２２】
また、孔被覆部材と外底芯との間にクッション部材が介在されている室内履物の外底の場合には、上記効果に加えて、クッション性に優れた室内履物が得られる。
【００２３】
本発明による室内履物によれば、外底の上記構成により、室内での様々な動作に伴う足の屈曲に追従しうるように屈曲可能である上、優れた外観や履き心地が得られる。
【図面の簡単な説明】
【図１】本発明の１つの実施形態を示すものであって、室内履物を斜め下方から見た図である。
【図２】図１のＩＩ−ＩＩ線に沿う室内履物の垂直縦断面図である。
【図３】室内履物の外底の平面図である。
【図４】室内履物を履いて足を屈曲させた状態を示す側面図である。
【符号の説明】
（１）：室内履物
（３）：外底
（３１）：外底芯
（３１１）：屈曲用スリット
（３２）：外底表皮
（３２１）：孔
（３３）：孔被覆部材
（３４）：クッション部材
【図１】
0003600957.tif 000002
【図２】
0003600957.tif 000003
【図３】
0003600957.tif 000004
【図４】
0003600957.tif 000005